(57)【要約】【課題】  身体の上腕部領域を適用領域として好適に使用することのできる上腕部領域用温暖パッドを提供すること。【解決手段】  この上腕部領域用温暖パッドは、身体の上腕部に装着される装着部と、この装着部に設けられた、温暖シートにより構成されたパッド本体とを備えてなり、当該パッド本体が、当該上腕部、肩部および腋下を含む上腕部領域の少なくとも一部に対接される。パッド本体を構成する温暖シートが遠赤外線放射性シートであることが好ましい。パッド本体は細長い外形を有するものであることが好ましく、装着部が筒状装着部であることが好ましい。【選択図】  図１
2007151702.tif 000002
【特許請求の範囲】
【請求項１】
身体の上腕部に装着される装着部と、この装着部に設けられた、温暖シートにより構成されたパッド本体とを備えてなり、
当該パッド本体が、当該上腕部、肩部および腋下を含む上腕部領域の少なくとも一部に対接されることを特徴とする上腕部領域用温暖パッド。
【請求項２】
パッド本体を構成する温暖シートが遠赤外線放射性シートであることを特徴とする請求項１に記載の上腕部領域用温暖パッド。
【請求項３】
パッド本体が細長い外形を有するものであることを特徴とする請求項１または請求項２に記載の上腕部領域用温暖パッド。
【請求項４】
装着部が筒状装着部であり、パッド本体は、当該筒状装着部の上端縁から伸び出る状態に設けられていることを特徴とする請求項１〜請求項３のいずれかに記載の上腕部領域用温暖パッド。
【請求項５】
筒状装着部が、遠赤外線放射性シートによる温暖シートにより構成されていることを特徴とする請求項４に記載の上腕部領域用温暖パッド。
【発明の詳細な説明】
【技術分野】
【０００１】
本発明は、身体の上腕部に装着されて当該上腕部を含む近傍領域に適用される上腕部領域用温暖パッドに関する。
【背景技術】
【０００２】
従来、身体を温暖に保持する衣類や衣料用品として種々のものが知られており、使用されている。そして、身体の特定の領域または個所に適用される身体用温暖衣料用品としては、例えばマフラーや腹掛けなどが広く使用されている。
しかしながら、従来、身体の上腕部領域を適用領域として好適に使用することのできる身体用温暖衣料用品は提供されていない。
【発明の開示】
【発明が解決しようとする課題】
【０００３】
本発明は、以上のような事情に基づいてなされたものであって、身体の上腕部領域を適用領域として好適に使用することのできる上腕部領域用温暖パッドを提供することを目的とする。
【課題を解決するための手段】
【０００４】
本発明の上腕部領域用温暖パッドは、身体の上腕部に装着される装着部と、この装着部に設けられた、温暖シートにより構成されたパッド本体とを備えてなり、
当該パッド本体が、当該上腕部、肩部および腋下を含む上腕部領域の少なくとも一部に対接されることを特徴とする。
【０００５】
この上腕部領域用温暖パッドにおいて、パッド本体を構成する温暖シートが遠赤外線放射性シートであることが好ましい。また、パッド本体は細長い外形を有するものであることが好ましい。
【０００６】
また、本発明の上腕部領域用温暖パッドにおいては、装着部が筒状装着部であり、パッド本体は、当該筒状装着部の上端縁から伸び出る状態に設けられている構成とされることが好ましい。
【０００７】
そして、筒状装着部は、遠赤外線放射性シートによる温暖シートにより構成されていることが好ましい。
【発明の効果】
【０００８】
本発明によれば、上腕部領域用温暖パッドが提供される。すなわち、この上腕部領域用温暖パッドによれば、装着部が身体の上腕部に装着された状態において、温暖シートよりなるパッド本体を、当該上腕部および当該上腕部に続く近傍の身体部分の表面領域（以下「上腕部領域」ともいう。具体的には、装着個所に続く当該上腕部の領域部分、当該上腕部に続く肩部の上面、正面および背面を含む領域部分、並びに、当該上腕部に係る腋下の胸部側面領域を含む。）の少なくとも一部の皮膚面に直接、または適宜の肌着や布材を介して、対接することができ、これにより、当該適用領域に対して温暖効果を得ることができる。特に温暖シートが遠赤外線放射性シートによって構成されていることにより、優れた温暖効果が得られる。
【０００９】
また、当該上腕部領域用温暖パッドにおいて、装着部を筒状装着部とすることにより、安定で使用感の良好な装着状態が得られると共に、更に当該筒状装着部を温暖シートによって構成されたものとすることにより、当該装着部においても温暖効果を得ることができる。
【発明を実施するための最良の形態】
【００１０】
以下、図面を参照して、本発明の実施の形態について詳細に説明する。
【００１１】
図１は、本発明の上腕部領域用温暖パッドの具体的な一例における構成を示す説明用斜視図、図２は、パッド本体の構成を示す説明用断面図、図３は、図１の上腕部領域用温暖パッドの使用状態の一例を示す説明図である。
【００１２】
この例に係る上腕部領域用温暖パッドは、基本的に、筒状装着部１０と、細長い外形を有するパッド本体２０とによって構成されている。具体的には、全体が細長い矩形状の外形を有するパッド本体２０の一端縁が、筒状装着部１０の装着状態において上端縁となる一端縁に例えば縫着されることにより、当該筒状装着部１０から伸び出る状態に設けられている。
【００１３】
筒状装着部１０は、図３に示されているように、人の身体３０の上腕部（身体の腕における肘から肩に至る部分）３２に巻き付けられた状態で装着されるものであって、柔軟な布よりなる帯状材料の両端部が例えば互いに縫着されることによって筒状（無端状）とされて形成されている。
この筒状装着部１０の自然の形態における周長は、例えば４０〜５０ｃｍであって、当該筒状装着部１０を構成する材料の有する伸縮力を利用して、上腕部が挿通された状態で適宜の位置に装着される。
【００１４】
パッド本体２０は、図２に示すように、遠赤外線放射性シートよりなる温暖シート２２が、当該温暖シート２２に適合する形態を有する布製カバー２４により被覆されて構成された、柔軟なシート状のものであって、一例における寸法は、長さが２０ｃｍ、幅が１２ｃｍである。
【００１５】
以上において、パッド本体２０の温暖シート２２に構成する遠赤外線放射性シートは、特に限定されるものではなく、遠赤外線を放射する特性を有する柔軟なシート材であればよく、例えば天然鉱物であるコロマナイトを焼成して得られる粉末が混入された発泡ポリエチレンから得られるシートを好ましいものとして挙げることができる。温暖シート２２は、このような遠赤外線放射性シートを適宜の形状に切り出して形成することができる。この温暖シート２２は、布製カバー２４と一体に縫着されたものとして構成されていることが好ましい。
ここに、温暖シート２２を被覆する布製カバー２４は、通常、いわゆる肌触りのよい、柔軟な布により構成されることが好ましい。
【００１６】
以上において、筒状装着部１０の材料は特に限定されるものではないが、好ましい材料は、上記のパッド本体２０と同様に、遠赤外線放射性シートよりなる温暖シートが布製カバーにより被覆された構成を有する柔軟なシート状のものである。
【００１７】
本発明の上腕部領域用温暖パッドは上記のような構成を有するものであって、代表的な使用の態様においては、図３に示すように、使用者の身体３０の一方の上腕部３２を筒状装着部１０に挿通させることによって当該上腕部３２に筒状装着部１０を装着し、この状態で、筒状装着部１０の上端縁から伸び出るパッド本体２０が、当該上腕部３２から肩に至る身体部分の上部およびこれに続く側部を覆うよう、当該パッド本体２０を皮膚面に対して直接、または肌着あるいは適宜の布材などを介して、対接させた状態で使用される。この使用状態のパッド本体２０は（Ａ）で示されている。
【００１８】
このような使用状態（Ａ）では、パッド本体２０によって覆われている身体部分、すなわち上腕部３２から肩に至る身体部分の上部およびこれに続く側部において、温暖効果が得られ、この使用状態によれば、身体の肩部およびその周辺に温暖効果が得られる。
そして、筒状装着部１０が上腕部３２に装着されていることによって当該上腕部領域用温暖パッドの保持状態が安定しているために、当該温暖効果が安定に継続的に得られることとなり、その結果、肩凝りや四十肩などの肩部の疾患に対して大きな治癒効果が期待される。
【００１９】
また、第２の使用の態様においては、同じ図３に使用状態（Ｂ）として示すように、上腕部３２に装着された筒状装着部１０の上端縁から伸びるパッド本体２０を、当該上腕部３２に係る腋下３４において、当該上腕部３２と当該腋下３４に続く胸部側面部との間に挟み込まれるようにして使用することもできる。この状態のパッド本体２０は、筒状装着部１０の装着位置にもよるが、通常、適宜の２つ折り状態となる。そしてこの使用状態によれば、特に腋下３４に続く胸部側面部に温暖効果を得ることができる。
【００２０】
更に、本発明の上腕部領域用温暖パッドは、パッド本体２０が筒状装着部１０から当該上腕部３２に沿って下方に伸びる状態で使用することも可能であり、この場合には、当該上腕部３２の下方部分に温暖効果が得られることとなる。
本発明の使用の態様は、上記のものに限定されず、使用者が希望する適宜の使用の状態で使用することができる。
【００２１】
本発明の上腕部領域用温暖パッドにおける筒状装着部１０は、その構成材料が特定の材料に限定されるものではない。しかし、当該筒状装着部１０を遠赤外線放射性シートにより構成されたものとすることにより、当該筒状装着部１０によっても、高い温暖効果を期待することができる。
【００２２】
以上、本発明の一実施例について説明したが、本発明においては、種々の変更や応用が可能である。
【００２３】
例えば、筒状装着部１０については、当該筒状装着部を形成する材料の有する自然の収縮力を利用して、装着作用を得ることができるが、これにゴムなどの弾性部材を適用することにより、あるいは適宜の手段により、筒状装着部１０が伸縮性を有するものとすることができる。
また、筒状装着部１０は、上腕部に装着された状態において無端状の筒状体が形成されるものであってもよい。すなわち、筒状装着部は、シート状体の両端部が例えばマジックテープなどの接合部材によって互いに接合または連結されることによって筒状となる構成のものであってもよい。
以上の構成によれば、上腕部に対する装着を一層確実なものとすることができる。
【００２４】
本発明においては、パッド本体の具体的な構成も特に限定されるものではなく、温暖シートを構成する遠赤外線放射性シートの材質、厚み、数、形状などは、全く自由である。
そして、パッド本体の筒状装着部に対する保持部材の取付け方も任意である。
【００２５】
本発明において、パッド本体の形状やその寸法は、特に限定されるものではなく、細長い外形を有するものが好ましいが、正方形、その他の多角形であってもよく、円形、長円形、楕円形、それらの複合形、Ｌ字形やＴ字形とすることもできる。
また、筒状装着部に対するパッド本体の接続位置（パッド本体の伸び出る位置）と特に限定されるものではなく、任意の位置とすることができる。
【００２６】
更に、本発明においては、筒状装着部に２つあるいはそれ以上のパッド本体を設けることも可能である。この場合には、同時に上記使用の態様（Ａ）と（Ｂ）の両方の態様で使用することが可能となる。
【００２７】
布製カバー２４は、温暖シート２２が分離可能な状態で当該温暖シート２２を一体的に包囲するものであることが好ましく、この場合には、布製カバー２４が汚れた場合に、温暖シート２２を分離して洗濯することができる。
【００２８】
本発明の上腕部領域用温暖パッドにおいて、パッド本体の遊端状の先端部は、適宜の着衣によってその位置が安定に維持されることが可能であるが、使用状態が確実に維持されるよう、当該先端部に保持用紐などを設けることもできる。
【００２９】
本発明の身体用温暖パッドには、種々の付属品を設けることも可能であって、例えば健康増進用の磁石体をパッド本体の布製カバーの表面または裏面に設けることができる。
【図面の簡単な説明】
【００３０】
【図１】本発明の上腕部領域用温暖パッドの具体的な一例における構成を示す説明用斜視図である。
【図２】図１の例におけるパッド本体の構成を示す説明用断面図である。
【図３】本発明の上腕部領域用温暖パッドの使用状態の例を示す説明図である。
【符号の説明】
【００３１】
１０  筒状装着部
２０  パッド本体
２２  温暖シート
２４  布製カバー
３０  人の身体
３２  上腕部
３４  腋下
【図１】
2007151702.tif 000003
【図２】
2007151702.tif 000004
【図３】
2007151702.tif 000005